(57)【要約】【課題】停電検出電圧の精度が高く、かつ、信頼性の高い停電検出回路を得る。【解決手段】本発明の停電検出回路は、入力電源１に抵抗２が接続された一次側回路と、抵抗３と並列に接続され電流量に応じて発光する第１の発光ダイオード４ａとその発光により入力端と出力端を短絡する第１のフォトトランジスタ４ｂとからなる第１のフォトカプラ４と、第１のフォトトランジスタ４ｂの出力端に接続されたゲートＩＣ８および出力端とゲートＩＣ８間に抵抗６を介して接続した直流電源５とからなる二次側回路とを備え、第１の発光ダイオード４ａの電流の大きさにより入力電源１の停電及び電圧低下を検出する。また、第１の発光ダイオード４ａと並列に抵抗９を介して設けた第２のフォトトランジスタ１０ｂと、ゲートＩＣ８の出力端から分岐させた出力回路に接続した第２の発光ダイオード１０ａとからなる第２のフォトカプラ１０を設けたものである。【選択図】    図１
2005017111.tif 000002
【特許請求の範囲】
【請求項１】
入力電源に抵抗が接続された一次側回路と、前記抵抗と並列に接続され電流量に応じて発光する第１の発光ダイオードとその発光により入力端と出力端を短絡する第１のフォトトランジスタとからなる第１のフォトカプラと、前記第１のフォトトランジスタの出力端に接続されたゲートＩＣおよび前記出力端と前記ゲートＩＣ間に抵抗を介して接続した直流電源とからなる二次側回路とを備え、前記第１の発光ダイオードの電流の大きさにより前記入力電源の停電及び電圧低下を検出する停電検出回路において、
前記第１の発光ダイオードと並列に抵抗を介して設けた第２のフォトトランジスタと、前記ゲートＩＣの出力端から分岐させた出力回路に接続した第２の発光ダイオードとからなる第２のフォトカプラを設けたことを特徴とする停電検出回路。
【発明の詳細な説明】
【０００１】
【発明の属する技術分野】
本発明は、入力電源の停電を検出する停電検出回路に関し、特にフォトカプラを使用する停電検出回路に関するものである。
【０００２】
【従来の技術】
従来のフォトカプラを使用した停電検出回路について以下に説明する。図２は、従来の停電検出回路を示す回路図である。図において、１は入力電源、２、３、６は抵抗、４は第１のフォトカプラ、５は直流電源、７はコンデンサ、８はゲートＩＣである。第１のフォトカプラ４は、第１の発光ダイオード４ａと、第１のフォトトランジスタからなる。この電検出回路は、入力電源系１次側回路と直流電源系２次側回路とが、第１のフォトカプラ４により分離された構成となっている。１次側回路は、入力電源１からの電流を制限するための抵抗２と電流量に応じて発光する第１の発光ダイオード４ａとが直列接続され、また、第１のフォトカプラ４のＯＮ電圧を所定電圧とするための抵抗３が第１の発光ダイオード４ａと並列に接続されている構成となっている。
２次側回路は、直流電源５と第１の発光ダイオード４ａの発光によりＯＮ状態となる第１のフォトトランジスタ４ｂと接地電位が直列接続され、図示の接続点の電圧を入力として抵抗６と時定数回路を構成するコンデンサ７を介してゲートＩＣ８の入力側に接続され、その出力が停電検出信号となって、入力電源１の停電を検出する（例えば、特許文献１参照）。
【０００３】
【特許文献１】
特開２０００−１７１４９７号公報
【０００４】
【発明が解決しようとする課題】
ところが、入力電源の停電を検出するための検出電圧レベルをある所定電圧になるように図２における各素子のパラメータを算出した場合に、第１のフォトカプラ４の電流伝達率の部品のばらつきが大きく影響する。入力電源電圧と第１のフォトカプラ４の出力電流の近似式は
Ｖｉｎ＝Ｉｃ×Ｒ１／ＣＴＲ＋Ｖｆ×（１＋Ｒ１／Ｒ２）
Ｖｉｎ：入力電源電圧
Ｉｃ：出力電流（図２では４ｂを流れる電流）
ＣＴＲ：電流伝達率
Ｖｆ：フォトカプラ順電圧（フォトカプラ入力側）
Ｒ１，Ｒ２：抵抗（図２ではそれぞれ抵抗２，抵抗３）
となる。近似式より、フォトカプラの電流伝達率が小さいと部品のばらつきや経年変化により、設計値よりも大きくはずれてしまう。また、電流伝達率が大きなフォトカプラを使用した場合は、検出信号が不安定になるという問題があった。
そこで、本発明は停電検出電圧の精度が高く、かつ、誤動作がない信頼性の高い停電検出回路を得ることを目的とする。
【０００５】
【課題を解決するための手段】
上記問題を解決するため、請求項１に記載の本発明は、入力電源に抵抗が接続された一次側回路と、前記抵抗と並列に接続され電流量に応じて発光する第１の発光ダイオードとその発光により入力端と出力端を短絡する第１のフォトトランジスタとからなる第１のフォトカプラと、前記第１のフォトトランジスタの出力端に接続されたゲートＩＣおよび前記出力端と前記ゲートＩＣ間に抵抗を介して接続した直流電源とからなる二次側回路とを備え、前記第１の発光ダイオードの電流の大きさにより前記入力電源の停電及び電圧低下を検出する停電検出回路において、前記第１の発光ダイオードと並列に抵抗を介して設けた第２のフォトトランジスタと、前記ゲートＩＣの出力端から分岐させた出力回路に接続した第２の発光ダイオードとからなる第２のフォトカプラを設けたものである。
請求項１記載の停電検出回路によれば、停電検出信号によりフォトトランジスタがＯＮ／ＯＦＦと制御される構成で第２のフォトカプラを追加し、第２のフォトカプラのフォトトランジスタと新たに追加する抵抗を直列に接続し、抵抗３と並列に接続する構成であり、抵抗６の定数を大きくし第１のフォトカプラのフォトトランジスタを流れる電流を制限することにより、電流伝達率のばらつきの影響を抑え、また、第２のフォトカプラにより制御される抵抗により停電検出電圧の精度が高く、かつ、誤動作がない信頼性の高い停電検出回路を得ることができる。
【０００６】
【発明の実施の形態】
以下、本発明の実施の形態を図に基づいて詳細に説明する。
図１は本発明の停電検出回路を示す回路図である。図において、９は抵抗、１０は第２のフォトカプラで、第２の発光ダイオード１０ａと第２のフォトトランジスタ１０ｂとからなる。他の符号は従来と同じである。この停電検出回路は、入力電源系の１次側回路と、直流電源系の２次側回路とが、第１のフォトカプラ４により絶縁された構成である。
入力電源系の１次側回路は、入力電源１からの電流を制限するための抵抗２と電流量に応じて発光する第１の発光ダイオード４ａとが直列接続され、また第１のフォトカプラ４のＯＮ／ＯＦＦ電圧にヒステリシス特性を持たせるために、抵抗３と、直列接続された第２のフォトカプラ１０内の第２のフォトトランジスタ１０ｂと抵抗９とが、第１の発光ダイオード４ａと並列に接続されている構成とする。
直流電源系の２次側回路は、直流電源５と第１の発光ダイオード４ａの発光によりＯＮ状態となる第１のフォトトランジスタ４ｂと接地電位が直列接続され、図示の接続点の電圧を入力として抵抗６と時定数回路を構成するコンデンサ７を介してゲートＩＣ８の入力に接続され、またそのゲートＩＣ８の出力により第２のフォトカプラ１０の第２の発光ダイオード１０ａを駆動するとともに、停電検出信号となって、入力電源１の停電を検出する。
つぎに、本発明の停電検出回路の動作について説明する。
入力電源が停電検出電圧レベル以上あるときは、第１のフォトカプラ４はＯＮとなり、接続点は接地電位となりゲートＩＣ８の出力はローレベルが出力され、またこの状態では、第２のフォトカプラ１０はＯＦＦしており抵抗９は実質的に接続されていない状態である。
入力電源１が停電あるいは停電検出電圧レベルまで低下すると、第１のフォトカプラ４はＯＦＦし、接続点の電位が直流電源５の電位まで立ち上がり、ゲートＩＣ８からハイレベルが出力され、またこの状態で第２のフォトカプラ１０がＯＮして、抵抗９が第１の発光ダイオード４ａ及び抵抗３と並列に接続された状態となる。
このように、本発明にかかる停電検出回路は、入力電源１が正常に動作しているときは“ロー”レベルが出力され、入力電源１に停電や電圧低下等が発生すると“ハイ”レベルの電圧を出力するように動作している。抵抗９が接続された状態から入力電源が復帰した場合は、前記の停電検出電圧レベルよりもある値以上の電圧に上昇しない限り、第１のフォトカプラ４がＯＮしない。従来、第１のフォトカプラ４内の第１のフォトトランジスタ４ｂに流れる電流の変化による接続点の電圧変化でヒステリシスを持たせていたが、このように入力電源系の１次回路側で検出信号にヒステリシス特性をもたせることにより、第１のフォトトランジスタ４ｂに流れる電流を最小にすることができ、電流伝達率のばらつきの影響を最小限にした停電検出回路を提供できる。
【０００７】
【発明の効果】
以上述べたように、本発明によれば、第２のフォトカプラを用いた回路としたので、フォトカプラ内のフォトトランジスタの電流を抑え、停電検出電圧の精度が高く、かつ、誤動作がない信頼性の高い停電検出回路を得るという効果がある。
【図面の簡単な説明】
【図１】本発明の停電検出回路を示す回路図。
【図２】従来の停電検出回路を示す回路図。
【符号の説明】
１  入力電源
２，３，６，９  抵抗
４  第１のフォトカプラ
４ａ  第１の発光ダイオード
４ｂ  第１のフォトトランジスタ
５  直流電源
７  コンデンサ
８  ゲートＩＣ
１０第２のフォトカプラ
１０ａ  第２の発光ダイオード
１０ｂ  第２のフォトトランジスタ
【図１】
2005017111.tif 000003
【図２】
2005017111.tif 000004